(57)【要約】【課題】配管施工性が良く、便器のトラップ部や雑排水管のトラップ部の封水破壊を防止でき、コストダウンと便器のコンパクト化の要望にも応えることができる便器通気排水管路構造を提供する。【解決手段】便器１の排出口１ｈに接続した落し管４ａ、これに第一エルボ継手４ｂを介して接続した横引き管４ｃ、これに第二エルボ継手４ｄを介して下向きに接続した縦管４ｅのいずれかに、トラップ部４ｊを有する雑排水管４ｉを接続した排水管路において、第一エルボ継手、横引き管、第二エルボ継手、雑排水管のいずれかに通気管７を接続して通気管７の床面２より上側部分を便器内に配管し、排水管路内に生じる負圧で開く逆流防止弁８を通気管７に設けた便器通気排水管路構造とする。通気管７の上側部分を便器内に配管して施工性を高め、逆流防止弁８で排水管路に生じる負圧を緩和してトラップ部の封水破壊を防止する。【選択図】図１
2010084390.tif 000002
【特許請求の範囲】
【請求項１】
便器の排出口に接続された落し管と、この落し管に第一エルボ継手を介して接続された横引き管と、この横引き管に第二エルボ継手を介して下向きに接続された縦管と、トラップ部を有し上記の落し管、第一エルボ継手、横引き管、第二エルボ継手、縦管のいずれかに接続された雑排水管とを含む排水管路において、上記の第一エルボ継手、横引き管、第二エルボ継手、雑排水管のいずれかに通気管を接続して、この通気管の便器が設置される床面より上側部分を便器内部に配管すると共に、上記排水管路内に発生する負圧によって開く逆流防止弁を上記通気管に設けたことを特徴とする便器通気排水管路構造。
【請求項２】
前記通気管の便器内部に配管された部分の開放側端部の開口を便器の便鉢に臨ませたことを特徴とする請求項１に記載の便器通気排水管路構造。
【請求項３】
前記の第一エルボ継手の横筒部の上部、横引き管の上部、第二エルボ継手の横筒部の上部のいずれかに、前記雑排水管を接続すると共に、前記通気管を上方から接続したことを特徴とする請求項１又は請求項２に記載の便器通気排水管路構造。
【請求項４】
通水用縦筒部と通気用縦筒部を並設し、かつ、これらの縦筒部の上下両端に接続口をそれぞれ設けて成る接続アダプタを、便器が設置される床面に取付け、便器の前記排出口と前記落し管を接続アダプタの通水用縦筒部の上下両端の接続口にそれぞれ接続すると共に、前記通気管の便器内部に配管された部分と床下空間に配管された部分を、接続アダプタの通気用縦筒部の上下両端の接続口にそれぞれ接続したことを特徴とする請求項１ないし請求項３のいずれかに記載の便器通気排水管路構造。
【請求項５】
前記第一エルボ継手の横筒部の上部に通気管接続口を設け、前記通気管の床下空間に配管された部分を上記通気管接続口に上方から接続したことを特徴とする請求項４に記載の便器通気排水管路構造。
【請求項６】
便器の排出口の中心線と前記通気管の便器内部に配管された部分の下端開口の中心線との間隔、前記接続アダプタの通水用縦筒部の上下両端の接続口の中心線と通気用縦筒部の上下両端の接続口の中心線との間隔、前記落し管を接続するための前記第一エルボ継手の上端の接続口の中心線と前記通気管接続口の中心線との間隔を、すべて同一にしたことを特徴とする請求項５に記載の便器通気排水管路構造。
【発明の詳細な説明】
【技術分野】
【０００１】
本発明は便器通気排水管路構造に関し、更に詳しくは、便器からの排水時に排水管路に生じる負圧を緩和して便器のトラップ部や雑排水管のトラップ部の封水破壊を防止すると共に、便器からの臭気を吸引除去するように改良した、配管施工性の良好な便器通気排水管路構造に関する。
【背景技術】
【０００２】
従来より、上端に吸気弁を設けた通気管を便器からの排水管路に接続し、この通気管を壁内やふかし空間に配管することによって、排水時に排水管路に負圧が発生したとき、上記通気管から外気を排水管路に吸引して、便器のトラップ部の封水破壊を防止することが行われている。しかしながら、この方式でトラップ部の封水破壊を防止する場合は、便器からの臭気を吸引除去することはできない。
【０００３】
これに対し、トラップ部の封水破壊の防止と臭気の除去を図った便器として、トラップ部より上流側の便鉢とトラップ部より下流側の排水管とを連通する通気路を設け、この通気路に脱臭ファン、逆流防止弁、圧力センサ、開閉弁、制御盤などを設置したものが提案されている（特許文献１）。
【０００４】
この便器は、脱臭ファンの非作動時には、逆流防止弁によってトラップ部より下流側の排水管から便鉢への臭気の逆流が阻止されており、脱臭ファンが作動すると、便鉢からの臭気が通気路の逆流防止弁を通って排水管へ排気されるようになっている。そして、排水時に排水管が所定の圧力以下に減圧されたことを圧力センサで検知すると、開閉弁が開いて外気がトラップ部より下流側の排水管へ吸引され、排水管内が外気圧に戻ってトラップ部の封水破壊が防止されるようになっている。
【特許文献１】実開平６−８７４８４号公報
【発明の開示】
【発明が解決しようとする課題】
【０００５】
しかしながら、従来のように通気管を壁内やふかし空間に配管すると、体裁は良くなるけれども、配管作業が面倒であり、しかも、メンテナンス用の点検口を設けることが必要になるので、費用が嵩むという問題があった。
【０００６】
一方、特許文献１の便器は、脱臭ファン、圧力センサ、開閉弁、制御盤等を組み込むのでコスト高になり、しかも、内部構造が複雑で小型化が難しいため、昨今のコンパクト化の傾向にある便器に対しては適用し難いという問題があった。
【０００７】
また、特許文献１の便器は、便器のトラップ部の封水破壊を防止できるけれども、次のような場合には、便器以外のトラップ部の封水破壊を防止できないことがあった。即ち、便器の排出口に落し管を接続し、該落し管に第一エルボ継手を介して横引き管を接続し、該横引き管に第二エルボ継手を介して縦管を下向きに接続し、トラップ部を有する雑排水管（例えば手洗いからの雑排水管など）を上記の横引き管などに接続したような場合には、便器からの排水によって第一エルボ継手と第二エルボ継手の二箇所で同時に閉塞が生じると、圧力センサは第一エルボ継手より上流側の落し管内の圧力を検出するようになっているため、密閉された横引き管と雑排水管に負圧が発生しても、これを圧力センサで検出して開閉弁を開くことができず、そのため雑排水管のトラップ部の封水破壊を生じることがあった。
【０００８】
本発明は上記事情の下になされたもので、その解決しようとする課題は、配管施工性が良好であり、便器のトラップ部の封水破壊は勿論、便器からの排水管路に接続された雑排水管のトラップ部の封水破壊も防止することができ、コストダウンと便器のコンパクト化の要望にも応えることができる便器通気排水管路構造を提供することにある。
【課題を解決するための手段】
【０００９】
上記課題を解決するため、本発明に係る便器通気排水管路構造は、便器の排出口に接続された落し管と、この落し管に第一エルボ継手を介して接続された横引き管と、この横引き管に第二エルボ継手を介して下向きに接続された縦管と、トラップ部を有し上記の落し管、第一エルボ継手、横引き管、第二エルボ継手、縦管のいずれかに接続された雑排水管とを含む排水管路において、上記の第一エルボ継手、横引き管、第二エルボ継手、雑排水管のいずれかに通気管を接続して、この通気管の便器が設置される床面より上側部分を便器内部に配管すると共に、上記排水管路内に発生する負圧によって開く逆流防止弁を上記通気管に設けたことを特徴とするものである。
【００１０】
本発明においては、請求項２の便器通気排水管路構造のように、通気管の便器内部に配管された部分（以下、便器内配管部分という）の開放側端部の開口を便器の便鉢に臨ませることが好ましく、また、請求項３の便器通気排水管路構造のように、第一エルボ継手の横筒部の上部、横引き管の上部、第二エルボ継手の横筒部の上部のいずれかに、雑排水管を接続すると共に、通気管を上方から接続することが好ましい。
【００１１】
更に、請求項４の便器通気排水管路構造のように、通水用縦筒部と通気用縦筒部を並設し、かつ、これらの縦筒部の上下両端に接続口をそれぞれ設けて成る接続アダプタを、便器が設置される床面に取付け、便器の排出口と落し管を接続アダプタの通水用縦筒部の上下両端の接続口にそれぞれ接続すると共に、通気管の便器内配管部分と床下空間に配管された部分（以下、床下配管部分という）を、接続アダプタの通気用縦筒部の上下両端の接続口にそれぞれ接続することが好ましい。その場合、請求項５の便器通気排水管路構造のように、第一エルボ継手の横筒部の上部に通気管接続口を設け、この通気管接続口に通気管の床下配管部分を上方から接続することが好ましい。そして、請求項６の便器通気排水管路構造のように、便器の排出口の中心線と通気管の便器内配管部分の下端開口の中心線との間隔、接続アダプタの通水用縦筒部の上下両端の接続口の中心線と通気用縦筒部の上下両端の接続口の中心線との間隔、落し管を接続するための第一エルボ継手の上端の接続口の中心線と通気管接続口の中心線との間隔を、すべて同一にすることが好ましい。
【発明の効果】
【００１２】
本発明の便器通気排水管路構造のように、排水管路の第一エルボ継手、横引き管、第二エルボ継手、雑排水管のいずれかに通気管を接続して、該通気管の便器が設置される床面より上側部分を便器内部に配管してあると、従来のように通気管を壁内やふかし空間に配管する面倒な配管作業や、メンテナンス用の点検口を設けることが不要になるので、配管施工性が良好であり、施工費用を節減することができる。しかも、本発明の便器通気排水管路構造では、便器から排出された排水によって排水管路内に負圧が発生すると、逆流防止弁が開いて空気が通気管から排水管路に吸気され、排水管路の負圧が緩和されるので、便器のトラップ部や雑排水管のトラップ部の封水破壊を防止することができる。そして、排水管路内が常圧になっている非排水時には逆流防止弁が閉じているため、下水管から臭気が排水管路及び通気管を通じてトイレ室内に逆流するのを防止することができる。
【００１３】
また、請求項２の便器通気排水管路構造のように、通気管の便器内配管部分の開放側端部の開口を便器の便鉢に臨ませてあると、上記のように逆流防止弁が開いて排水管路内の負圧の発生を抑制している間中、便鉢から臭気を含んだ空気を通気管を通じて排水管路内へ吸引、除去することができる。従って、前記特許文献１の便器のように、高価で広い内蔵スペースが必要な脱臭ファン等を内蔵することが不要となるので、コストダウンと便器のコンパクト化を図ることも可能となる。
【００１４】
更に、請求項３の便器通気排水管路構造のように、第一エルボ継手の横筒部の上部、横引き管の上部、第二エルボ継手の横筒部の上部のいずれかに、雑排水管を接続すると共に、通気管を上方から接続すると、便器からの排水が雑排水管や通気管に逆流するのを防止できることに加えて、便器からの排水により第一エルボ継手と第二エルボ継手が同時に閉塞して横引き管や雑排水管に負圧が発生したときでも、同時に通気管に負圧が発生して逆流防止弁が開くため、雑排水管のトラップ部の封水破壊を防止することができる。
【００１５】
また、請求項４の便器通気排水管路構造のように、通水用縦筒部と通気用縦筒部を並設し、かつ、これらの縦筒部の上下両端に接続口を設けて成る接続アダプタを、便器が設置される床面に取付け、この接続アダプタを介して、便器の排出口と落し管を接続すると共に、通気管の便器内配管部分と床下配管部分を接続すると、接続作業を効率良く行うことができるようになり、施工性が向上する利点がある。その場合、請求項５の便器通気排水管路構造のように、第一エルボ継手の横筒部の上部に通気管接続口を設けて、通気管の床下配管部分を該通気管接続口に上方から接続すると、施工性が一層良くなり、更に、請求項６の便器通気排水管路構造のように、便器の排出口と通気管の便器内配管部分の下端開口との中心線相互間隔、接続アダプタの通水用縦筒部の上下両端の接続口と通気用縦筒部の上下両端の接続口との中心線相互間隔、第一エルボ継手の上端の接続口と通気管接続口との中心線相互間隔を、すべて同一にすると、接続作業が極めて容易になるので施工性がより一層向上する利点がある。
【発明を実施するための最良の形態】
【００１６】
以下、図面を参照して本発明の具体的な実施形態を詳述する。
【００１７】
図１は本発明の一実施形態に係る便器通気排水管路構造の説明図、図２は同便器通気排水管路構造の通気管の開放側端部に設けられた逆流防止弁の概略断面図である。
【００１８】
この実施形態の便器通気排水管路構造は、家屋の二階に便器を設置して配管する場合を例示したものであって、１は洋式の便器を示しており、この便器１は二階のトイレ室の床面２に設置されている。この便器１は、便鉢１ａと、その下側に連続して形成されたトラップ部１ｂと、その下流側に連続して形成された排水通路部１ｃと、便鉢１ａの上端開口縁に重ねられた起倒自在な便座１ｄと、便座１ｄの上から便鉢１ａの開口部を覆う開閉自在な便蓋１ｅ等を備えたもので、トラップ部１ｂに溜まった水で便鉢１ａと排水通路部１ｃが封鎖（水封）され、下流側の排水管路からトイレ室内への臭気の逆流が防止されている。また、この便器１の後部には水タンク１ｆが取付けられており、この水タンク１ｆの操作レバー１ｇを回すと、水タンク１ｆから水が便鉢１ａに流入し、汚物と共にトラップ部１ｂを通って排水通路部１ｃの下端の排出口１ｈから排出されるようになっている。
【００１９】
床面２の開口部分には接続アダプタ３が取付けられており、この接続アダプタ３を介して、便器１の排水通路部１ｃの下端の排出口１ｈと短い落し管４ａとが上下に接続されている。そして、二階の床下空間Ｖ１、一階の壁沿いのふかし空間Ｖ２、一階の床下空間Ｖ３等を利用して、便器１からの排水管路が設けられている。この排水管路は、上記の落し管４ａと、この落し管４ａに第一エルボ継手４ｂを介して接続された横引き管４ｃと、この横引き管４ｃに第二エルボ継手４ｄを介して下向きに接続された縦管４ｅと、この縦管４ｅの下端に第三エルボ継手４ｆを介して接続された布基礎５を貫通する下流側排水管４ｇと、上記横引き管４ｃの上部に接続された手洗い６からの雑排水管４ｉとから成るものであって、この雑排水管４ｉの手洗い直下の部分にはトラップ部４ｊが形成されている。そして、上記の下流側排水管４ｇは、下水管に通じる屋外の排水管の途中に設置された排水桝４ｈに接続されている。
【００２０】
上記の雑排水管４ｉは、落し管４ａ、第一エルボ継手４ｂ、横引き管４ｃ、第二エルボ継手４ｄ、縦管４ｅのいずれかに接続すればよく、図１の実施形態のように横引き管４ｃに限定して接続する必要はないが、好ましくは、横引き管４ｃの上部、第一エルボ継手４ｂの横筒部の上部、第二エルボ継手４ｄの横筒部の上部のいずれかに接続して、便器からの排水が雑排水管４ｉに逆流するのを防止するのがよい。また、便器１の排出口１ｈと落し管４ａは、接続アダプタ３を省略して直接接続しても勿論よい。
【００２１】
排水管路の第二エルボ継手４ｄには、通気管７が上方から接続されており、この通気管７は二階の床面２の穴から上側に引き出されて、その床面より上側部分が便器１の排水通路部１ｃより後側の内部に配管されている。そして、便器２の内部に配管された通気管７の便器内配管部分の開放側端部７ａの開口を便鉢１ａの上端開口部に臨ませることによって、後述するように便器１から排水するときに便鉢１ａから臭気を吸引除去できるようにしている。この通気管７は、開放側端部７ａをＴ形に形成して複数の吸気用の開口を穿孔することにより、脱臭効率を高めるようにしてもよい。
【００２２】
通気管７の便器内配管部分の開放側端部７ａには、排水管路内に発生する負圧によって開く逆流防止弁８が設けられている。この逆流防止弁８は、図２に示すように、弾性湾曲変形の容易なゴム等で形成された弁体８ａと、該弁体８ａの上端を固定して該弁体８ａを傾斜姿勢で受ける弁座８ｂとからなる簡易な逆流防止弁であって、通気管７の便器内配管部分の開放側端部７ａに下向きに形成された開口７ｂに取り付けられている。尚、逆流防止弁は、図２に示すものに限らず、公知の種々の逆流防止弁が使用可能であり、また、通気管７における逆流防止弁８の取付位置も所望の位置とすることができる。
【００２３】
上記の通気管７は、第一エルボ継手４ｂ、横引き管４ｃ、第二エルボ継手４ｄ、雑排水管４ｉのいずれかに接続すればよく、図１に示す実施形態のように第二エルボ継手４ｄに限定して接続する必要はないが、好ましくは、第一エルボ継手４ｂの横筒部の上部、横引き管４ｃの上部、第二エルボ継手４ｄの横筒部の上部のいずれかに上方から接続して、便器からの排水が通気管７に逆流するのを防止するのがよい。このように、第一エルボ継手４ｂの横筒部の上部、横引き管４ｃの上部、第二エルボ継手４ｄの横筒部の上部のいずれかに、通気管７を上方から接続し、かつ、前述したように雑排水管４ｉを接続すると、後述するように便器からの排水により第一エルボ継手４ｂと第二エルボ継手４ｄが同時に閉塞しても、雑排水管４ｉのトラップ部４ｊの封水破壊を防止できる利点がある。
【００２４】
上記構成の便器通気排水管路構造は、通気管７の便器が設置される床面２より上側部分を便器１の内部に配管してあるので、従来のように通気管を壁内やふかし空間に配管する面倒な配管作業や、メンテナンス用の点検口を設けることが不要になる。そのため、配管施工性が向上し、施工費用を節減することができる。そして、便器１からの排水によって排水管路内に負圧が発生すると、図２に仮想線で示すように、その負圧によって逆流防止弁８の弁体８ａが開き、便鉢１ａ内の臭気を含んだ空気が通気管７を通じて排水管路に吸気され、排水管路の負圧が緩和されて、便器１及び雑排水管４ｉのトラップ部１ｂ，４ｊの封水破壊の防止と、便器１からの臭気の除去を同時に行うことができる。従って、高価で広い内蔵スペースが必要な脱臭ファン、圧力センサ、開閉弁、制御盤などを便器１に内蔵することが不要となるので、コストダウンと便器のコンパクト化を図ることも可能となる。特に、第一エルボ継手４ｂの横筒部の上部、横引き管４ｃの上部、第二エルボ継手４ｄの横筒部の上部のいずれかに、雑排水管４ｉを接続すると共に、通気管７を上方から接続する場合は、便器１からの排水により第一エルボ継手４ｂと第二エルボ継手４ｄが同時に閉塞して横引き管４ｃや雑排水管４ｉに負圧が発生したときでも、同時に通気管７に負圧が発生して逆流防止弁８が開くため、雑排水管４ｉのトラップ部４ｊの封水破壊を確実に防止することができる。一方、排水管路内が常圧になっている非排水時には、逆流防止弁８が閉じているので、下水管から臭気が排水管路及び通気管７を通じてトイレ室内に逆流するのを防止することができる。
【００２５】
図３は本発明の他の実施形態に係る便器通気排水管路構造の部分説明図、図４は同便器通気排水管路構造の部分拡大断面図、図５は同便器通気排水管路構造の部分拡大分解断面図である。
【００２６】
この便器通気排水管路構造は、前記の接続アダプタ３とは異なる接続アダプタ３０を介して、便器１の排出口１ｈと落し管４ａを接続すると共に、床面より上側の便器１内部に配管された通気管の便器内配管部分７１と、床下空間Ｖ１に配管された通気管の床下配管部分７２を接続している点、及び、第一エルボ継手４０ｂの横筒部の上部に通気管接続口４０ｋを設けて通気管の床下配管部分７２を上方から接続している点で、前述した図１の便器通気排水管路構造と相違している。
【００２７】
更に詳しく説明すると、この接続アダプタ３０は、図５に示すように、通水用縦筒部３０ａと通気用縦筒部３０ｂを並べて基板部３０ｃに一体に立設したものであって、通水用縦筒部３０ａの上端部と、通気用縦筒部３０ｂの上端部には、便器１の排出口１ｈを差込接続するための接続口３０ｄと、床面２より上側の通気管の便器内配管部分７１を上方から差込接続するための接続口３０ｅが形成されており、それぞれの接続口３０ｄ，３０ｅの口縁部にはゴミ除け用の蓋（不図示）を嵌着するための周溝３０ｆ，３０ｇが形成されている。尚、ゴミ除け用の蓋は、便器の排出口１ｈと通気管の便器内配管部分７１を接続するときに除去される。
【００２８】
この接続アダプタ３０の通水用縦筒部３０ａの下端部には、落し管４ａを下方から差込接続するための二重筒状の接続口３０ｈ，３０ｉが形成されており、また、通気用縦筒部３０ｂの下端部には、通気管の床下配管部分７２を下方から差込接続するための接続口３０ｊが形成されている。通水用縦筒部３０ａの二重筒状の接続口３０ｈ，３０ｉは、落し管４ａが管径の大きいもの（例えばＶＵ１００，ＶＰ１００）であれば外側の接続口３０ｈに内嵌合させ、落し管４ａが厚肉で管径の小さいもの（例えばＶＰ７５）であれば内側の接続口３０ｉの小径部分に外嵌合させ、落し管４ａが薄肉での管径の小さいもの（例えばＶＵ７５）であれば内側の接続口３０ｉの大径部分に外嵌合させて、それぞれ接続できるようにしたものである。
【００２９】
上記の接続アダプタ３０は、落し管４ａと通気管の床下配管部分７２を下方から挿通する床面２の開口部２ａ，２ｂに、接続アダプタ３０の二重筒状の接続口３０ｈ，３０ｉと接続口３０ｊが重なるように位置決めされ、接続アダプタ３０の基板部３０ｃが床面２に止具３０ｋで固定されて取付けられている。
【００３０】
一方、第一エルボ継手４０ｂは、図５に示すように、その横筒部の上部に通気管接続口４０ｋが設けられ、通気管の床下配管部分７２が上方から差込接続されるようになっている。
【００３１】
この実施形態の便器通気排水管路構造は、図４に示すように、便器１の排出口１ｈと床面２より上側の通気管の便器内配管部分７１を、接続アダプタ３０の通水用縦筒部３０ａの上端部の接続口３０ｄと通気用縦筒部３０ｂの上端部の接続口３０ｅに、それぞれ上方から差込接続すると共に、落し管４ａの上端部と通気管の床下配管部分７２の上端部を、それぞれ下方から接続アダプタ３０の通水用縦筒部３０ａの下端部の二重筒状の接続口３０ｈ，３０ｉのいずれかと、通気用縦筒部３０ｂの下端部の接続口３０ｊに差込接続し、落し管４ａの下端部と通気管の床下配管部分７２の下端部を、それぞれ上方から第一エルボ継手４０ｂの縦筒部上端の接続口４０ｍと横筒部の通気管接続口４０ｋに差込接続しているが、図５に示すように、便器１の排出口１ｈの中心線Ｌ１と通気管の便器内配管部分７１の下端開口の中心線Ｌ２との間隔、及び、接続アダプタ３０の通水用縦筒部３０ａの上下両端の接続口３０ｄ，３０ｈ，３０ｉの中心線Ｌ３，Ｌ４と通気用縦筒部３０ｂの上下両端の接続口３０ｅ，３０ｊの中心線Ｌ５，Ｌ６との間隔、及び、第一エルボ継手４０ｂの縦筒部上端の接続口４０ｍの中心線Ｌ７と通気管接続口４０ｋの中心線Ｌ８との間隔が、すべて同一に設定されているため、上記の差込接続作業を効率良く行うことができ、施工性が大幅に向上する利点がある。また、通気管の便器内配管部分７１は、便器１の本体内部に一体的に形成してもよく、その場合は、通気管を便器内に配管する作業が不要となるので、施工性が更に向上する利点がある。
【００３２】
図３〜図５に示す実施形態の便器通気排水管路構造の他の構成及び作用効果は前述した図１の便器通気排水管路構造のそれらと同様であるので、図３〜図５において同一部材に同一符号を付すにとどめ、重複する構成及び作用効果の説明は省略することにする。
【００３３】
尚、上記実施形態の便器通気排水管路構造において、横引き管４ｃが便器１の左右いずれか片側へ少し偏位して配管され、そのため第一エルボ継手４０ｂを横引き管４ｃの偏位した方へ少し回動させて接続する必要が生じた場合には、接続アダプタ３０を通水用縦筒部３０ａを中心にして第一エルボ継手４０ｂと同じ方向に同じ角度だけ回動させて対応可能であることは言うまでもない。
【００３４】
図６は本発明の便器通気排水管路構造に用いる第一エルボ継手の他の例を示す正面図、図７は同第一エルボ継手の右側面図、図８は同第一エルボ継手の平面図である。
【００３５】
この第一エルボ継手４１ｂは、横筒部の上部に、上向きの通気管接続口４１ｋと横向きの雑排水管接続口４１ｎを有する二股に分岐した接続部４１ｐを一体に形成すると共に、落し管４ａ接続用の接続口４１ｍと横引き管接続用の接続口４１ｑを、縦筒部の上端と横筒部の先端に設けたものである。
【００３６】
このような第一エルボ継手４１ｂを用いて、その縦筒部上端の接続口４１ｍに前述の落し管４ａを差込接続すると共に、横筒部先端の接続部４１ｑに前述の横引き管４ｃを差込接続し、二股の接続部４１ｐの通気管接続口４１ｋと雑排水管接続口４１ｎに、通気管の床下配管部分７２と雑排水管４ｉを上方および側方から差込接続して、便器通気排水管路を設けると、便器１からの排水が通気管の床下配管部分７２及び雑排水管４ｉに逆流する心配がなくなると共に、通気管の便器内配管部分７１及び床下配管部分７２を通じて吸気される空気によって、横引き管４ｃや雑排水管４ｉの負圧がより効果的に緩和されるため、雑排水管４ｉのトラップ部４ｊの封水破壊を確実に防止できるようになる。
【００３７】
図９は本発明の便器通気排水管路構造に用いる第一エルボ継手の更に他の例を示す平面図である。
【００３８】
この第一エルボ継手４１ｂは、二股に分岐した接続部４１ｐの雑排水管接続口４１ｎが、横方向、即ち横筒部に対して直角方向に突き出してなく、上流側に向かって斜め４５°に突き出しており、雑排水管４ｉを上流側から斜め方向に接続できるようになっている。その他の構成は、前述した図６〜図８の第一エルボ継手と同様であるので、図９において同一部材に同一符号を付すにとどめ、重複する構成及び作用効果の説明は省略する。
【００３９】
図１０は本発明の便器通気排水管路構造の横引き管の一部として用いられる直状管継手の斜視図である。
【００４０】
この直状管継手４０ｃは、その上部に、上向きの通気管接続口４１ｋと横向きの雑排水管接続口４１ｎを有する二股に分岐した接続部４１ｐを一体に形成し、両端に接続口４０ｒ，４０ｒを一体に形成したものである。かかる直状管継手４０ｃは横引き管４ｃの途中に設けられ、その通気管接続口４１ｋと雑排水管接続口４１ｎに通気管の床下配管部分７２と雑排水管４ｉがそれぞれ接続される。このように接続すると、前記の第一エルボ継手４１ｂの場合と同様に、便器１からの排水が通気管の床下配管部分７２及び雑排水管４ｉに逆流しなくなり、また、通気管の便器内配管部分７１及び床下配管部分７２を通じて吸気される空気で横引き管４ｃや雑排水管４ｉの負圧がより効果的に緩和されるため、雑排水管４ｉのトラップ部４ｊの封水破壊を確実に防止できるようになる。
【図面の簡単な説明】
【００４１】
【図１】本発明の一実施形態に係る便器通気排水管路構造の説明図である。
【図２】本発明の他の実施形態に係る便器通気排水管路構造の部分説明図である。
【図３】同便器通気排水管路構造の部分拡大断面図である。
【図４】同便器通気排水管路構造の部分拡大分解断面図である。
【図５】本発明の便器通気排水管路構造に用いる第一エルボ継手の他の例を示す正面図である。
【図６】同第一エルボ継手の右側面図である。
【図７】同第一エルボ継手の平面図である。
【図８】本発明の便器通気排水管路構造に用いる第一エルボ継手の更に他の例を示す平面図である。
【図９】本発明の更に他の実施形態に係る便器通気排水管路構造の部分説明図である。
【図１０】同便器通気排水管路構造における通気管の便器内配管部分の開放側端部の拡大断面図である。
【符号の説明】
【００４２】
１    便器
１ａ  便鉢
１ｂ  便器のトラップ部
１ｈ  便器の排出口
２    便器が設置される床面
３，３０  接続アダプタ
３０ａ  通水用縦筒部
３０ｂ  通気用縦筒部
３０ｄ  通水用縦筒部の上端部の接続口
３０ｅ  通気用縦筒部の上端部の接続口
３０ｈ，３０ｉ  通水用縦筒部の下端部の二重筒状の接続口
３０ｊ  通気用縦筒部の下端部の接続口
４ａ  落し管
４ｂ，４０ｂ，４１ｂ  第一エルボ継手
４ｃ  横引き管
４ｄ  第二エルボ継手
４ｅ  縦管
４ｇ  下流側排水管
４ｈ  排水桝
４ｉ  雑排水管
４ｊ  雑排水管のトラップ部
４ｋ，４０ｋ，４１ｋ  通気管接続口
４１ｎ  雑排水管接続口
７    通気管
７１  通気管の便器内配管部分（通気管の便器内部に配管された部分）
７２  通気管の床下配管部分（通気管の床下空間に配管された部分）
８    逆流防止弁
９    タイマー
Ｖ１  二階の床下空間
Ｌ１  便器の排出口の中心線
Ｌ２  床面の上側に配管された通気管の下端開口の中心線
Ｌ３，Ｌ４  接続アダプタの通水用縦筒部の上下両端の接続口の中心線
Ｌ５，Ｌ６  接続アダプタの通気用縦筒部の上下両端の接続口の中心線
Ｌ７  第一エルボ継手の上端の接続口の中心線
Ｌ８  第一エルボ継手の通気管接続口の中心線
【図１】
2010084390.tif 000003
【図２】
2010084390.tif 000004
【図３】
2010084390.tif 000005
【図４】
2010084390.tif 000006
【図５】
2010084390.tif 000007
【図６】
2010084390.tif 000008
【図７】
2010084390.tif 000009
【図８】
2010084390.tif 000010
【図９】
2010084390.tif 000011
【図１０】
2010084390.tif 000012